(57)【要約】【課題】砂場を効率よく殺菌・浄化することができ、しかも浄化後に安全に使用することができる砂場の浄化方法を提供する。【解決手段】次の工程順からなる砂場の浄化方法である。第１工程は砂場の表層の大きなゴミ等を除去工程。第２工程は砂ふるい機を用い砂中の小動物の糞等の除去工程。第３工程は砂攪拌機を用い攪拌し、夾雑物の除去と、砂を空気に晒し活性化する工程。第４工程は高濃度オゾン水の散布による大腸菌等の殺菌と脱臭を行う工程。第５工程　セラミラル菌の液体、又は粉体の散布による栄養と抗菌力を与える工程。第６工程　漢方生薬からなる小動物回避剤を散布し、砂場の周辺の清掃をする工程。【選択図】　　　　図４
2004073082.tif 000002
【特許請求の範囲】
【請求項１】
次の工程順からなる砂場の浄化方法。
第１工程　砂場の表層の大きなゴミ、危険物等を除去する工程。
第２工程　砂ふるい機を使用して、砂場の砂中の小動物の糞、微細ゴミ、夾雑物を除去する工程。
第３工程　砂攪拌機を使用して深さ略５０ｃｍ前後まで攪拌し、夾雑物の完全除去を行い、砂を空気に晒し活性化する工程。
第４工程　高濃度オゾン水を砂の表層、中層、深層部へ散布し、大腸菌等の殺菌と砂の脱臭を行う工程。
第５工程　セラミラル菌の液体、又は粉体を散布することにより砂に栄養と抗菌力を与える工程。
第６工程　漢方生薬からなる小動物回避剤を散布し、砂場の周辺の清掃をする工程。
【発明の詳細な説明】
【０００１】
【発明の属する技術分野】
本発明は、砂中に棲息する細菌等を殺菌して砂を採集したてのきれいな砂に戻す汚染された砂場の浄化方法に関する。
【０００２】
【従来の技術】
自然の砂に遊ぶということは、子供の健康の原点であり、創造性、協調性、社会性を養う場所でもある。
ところが、近年、我が国においては、核家族化が進み、更にはゲーム等による屋内で遊ぶ傾向が強くなり、砂場のような屋外で遊ぶことが少なくなってきた現状に鑑み、屋外における活動の重要性が指摘されている。
その場として砂場での遊びは最適であり、重要なことであり、そのために例えば、学校の校庭や公園等に、砂場を設ける例が多い。この砂場は、主に子供が素手で砂に触れて造形を楽しむために設置されることが一般的で、そのためにきれいに整備された砂場でなければならない。
ところで、近年、前記砂場が病原菌等の細菌で汚染されて細菌の温床となっている場合があることが問題となっている。
すなわち、前記砂場の汚染は、主に砂場に混入した動物の排泄物の菌が砂内で残留又は条件によっては増殖することが原因であるが、特に都市部においては、野良犬や野良猫等の排泄場所が前記校庭や公園等の砂場に集中するため、病原菌等の細菌により砂場の汚染度が高くなり、利用者の健康への影響が懸念されている。
特に子供の場合、素手で砂に触れて遊ぶことが多く、病気の原因になる可能性がある。前記砂場の汚染は、常時砂の管理がなされていない砂場の場合、砂内にビニールやプラスチック等の容器などのゴミが大量に混入したり、砂場内に砂粒子同志が固着して塊を形成しやすく、この様なゴミや塊及びその近傍に水分が滞留する部分ができやすいが、前記水分の滞留部分が前記動物を介して運ばれてきた菌が繁殖する温床となることが考えられ、汚染度が特に高くなることが懸念される。
【０００３】
前記問題に鑑みて、砂中の細菌を殺菌するには、農薬等の殺菌剤を散布する方法が適用される。しかしながら、この方法の場合、農薬の毒性によって二次災害が発生する可能性があるといった問題がある。また、殺菌剤を使用しない方法としてバーナーを利用して砂を加熱殺菌する方法もあるが、今度は、砂粒子が凝結して塊が形成されやすいため塊の破砕作業が必要となる上、火炎を浴びることにより砂の含有成分が焼けて変色するといった問題が生じる。
【０００４】
【発明が解決しようとする課題】
本発明は、前述の課題に鑑みてなされたもので、砂場を効率よく殺菌・浄化することができ、しかも浄化後に安全に使用することができる砂場の浄化方法を提供することを目的とするものである。
【０００５】
【課題を解決するための手段】
このため、本発明が採用した技術解決手段は、砂場の表層の大きなゴミ、危険物等を除去する工程と、砂ふるい機を使用して、砂場の砂中の小動物の糞、微細ゴミ、夾雑物を除去する工程と、砂攪拌機を使用して深さ略５０ｃｍ前後まで攪拌し、夾雑物の完全除去を行い、砂を空気に晒し活性化する工程と、高濃度オゾン水を砂の表層、中層、深層部へ散布し、大腸菌等の殺菌と砂の脱臭を行う工程と、セラミラル菌の液体、又は粉体を散布することにより砂に栄養と抗菌力を与える工程と、漢方生薬からなる小動物回避剤を散布し、砂場の周辺の清掃をする工程、からなる砂場の浄化方法としたことである。
【０００６】
【発明の実施形態】以下本発明の砂場を浄化するの浄化方法の手順を図１から図７に基づいて説明する。
１．図１に示すように、まず、砂場１の表層中のビニール袋・大きな石ころなどの危険物２を除去する。
２．次に、図２に示すように、砂場に混入の微細ゴミ・ネコ等小動物の糞を砂ふるい機３を使い除去する。
３．次に、図３に示すように、攪拌機４を用い砂場を深さ略５０ｃｍ前後攪拌し、夾雑物の完全除去と砂の天地変えで砂を空気に晒し活性化することによって、嫌気性土壌を好気性土壌に変え、大腸菌を棲息しににくする。攪拌機４は、自走機構と砂を撹拌可能な機構を有する農業用小型耕耘機と概略同様の構成とされている。
４．次に、図４に示すように、高濃度オゾン（Ｏ３　）水５を砂の表層、中層、深層部へ満遍なく散布し、大腸菌と他の菌の殺菌と砂の脱臭と漂白を行う。前記オゾン水は、除菌、消臭、漂白をはじめとする化学作用、及び生理活性作用、酸素付加作用等の優れた作用を有し、砂に散布されることにより、前記各作用を発揮する。オゾン水の殺菌作用は、オゾン溶解量１．０ｐｐｍ程度で充分に発揮される。したがって、砂場１平方メートル当りの殺菌に要するオゾン水は、１７０ｇ程度であり、高濃度のものであれば、さらに少量とすることができる。また、オゾン水は、大気中に放出後、オゾンがすぐに酸素に戻るため、残留毒素がなく人間の健康面で安全である。
５．次に、図５に示すように、ミネラルを主成分としたセラミラル菌（光合成細菌）の液体をオゾン水殺菌で無菌状態になった砂に有効土壌菌を投入し砂に栄養を還元する。
６．次に、図６に示すように、（放射菌）セラミラル菌３０００のの粉体と共に砂への栄養と抗菌着力をつける。
前記５．の工程と６．の工程は必ずしも両方やる必要はなく、何方か一方だけを採用してもよい。
７．最後に、図７に示すように、砂場の周辺を清掃し、漢方野良猫等の小動物回避剤散布して作業工程を終了して子供達が安心して遊べる元気な砂場となる。
上記のような簡単な手順でもって、低コストでもって砂場を蘇らせることが出来る。
【０００７】
【発明の効果】
本発明の、砂場の表層の大きなゴミ、危険物等を除去する工程と、砂ふるい機を使用して、砂場の砂中の小動物の糞、微細ゴミ、夾雑物を除去する工程と、砂攪拌機を使用して深さ略５０ｃｍ前後まで攪拌し、夾雑物の完全除去を行い、砂を空気に晒し活性化する工程と、高濃度オゾン水を砂の表層、中層、深層部へ散布し、大腸菌等の殺菌と砂の脱臭を行う工程と、セラミラル菌の液体、又は粉体を散布することにより砂に栄養と抗菌力を与える工程と、漢方生薬からなる小動物回避剤を散布し、砂場の周辺の清掃をする工程、からなる砂場の浄化方法としたので、簡単な手順、低コストで砂場を蘇らせることが出来る。
また、この砂場の浄化方法によれば、砂の撹拌による塊の破砕は、嫌気性土壌を好機性土壌に変えて、砂を大腸菌や回虫卵が棲息しにくい環境にする。特に第３の工程における撹拌は、砂の通気性および通水性を大幅に回復させる。その結果、第３の工程における撹拌の後散布したオゾン水は、砂全体に能率良く浸透して高い殺菌効果を発揮することができる。
また、本発明の砂場の浄化方法によれば、浄化作業に一貫して、毒性が無くしかも散布後に自然に消散するものをを使用するので、農薬等とは異なり、浄化後において有毒物質が残留するといったことが無く、施工完了後すぐに砂場を使用しても安全である。しかも、セラミラル菌、小動物回避剤も無毒なので、砂の清浄を安全かつ長期に維持することができる。
【図面の簡単な説明】
【図１】第１工程である、砂場の表層の大きなゴミ、危険物等を除去する工程の斜視図である。
【図２】第２工程である、砂ふるい機を使用して、砂場の砂中の小動物の糞、微細ゴミ、夾雑物を除去する工程の斜視図である。
【図３】第３工程である、砂攪拌機を使用して深さ略５０ｃｍ前後まで攪拌し、夾雑物の完全除去を行い、砂を空気に晒し活性化する工程の斜視図である。
【図４】第４工程である、高濃度オゾン水を砂の表層、中層、深層部へ散布し、大腸菌等の殺菌と砂の脱臭を行う工程の斜視図である。
【図５】第５工程である、ミネラルを主成分としたセラミラル菌（光合成細菌）の液体をオゾン水殺菌で無菌状態になった砂に有効土壌菌を投入し砂に栄養を還元する工程の斜視図である。
【図６】第５工程である、（放射菌）セラミラル菌３０００のの粉体と共に砂への栄養と抗菌着力をつける工程の斜視図である。
【図７】第６工程　漢方生薬からなる小動物回避剤を散布し、砂場の周辺の清掃をする工程の斜視図である。
【符号の説明】
１　　　砂場
２　　　危険物
３　　　砂ふるい機
４　　　攪拌機
５　　　オゾン（水）
【図１】
2004073082.tif 000003
【図２】
2004073082.tif 000004
【図３】
2004073082.tif 000005
【図４】
2004073082.tif 000006
【図５】
2004073082.tif 000007
【図６】
2004073082.tif 000008
【図７】
2004073082.tif 000009